(57)【要約】【課題】ネットワークに接続可能なテレビジョン装置において、簡易に画像を取得できる機能を提供する。【解決手段】情報処理部を有するテレビジョン装置３を制御するリモートコントローラ１であり、画像撮影手段１１と、前記画像撮影手段により撮影された画像を前記テレビジョン装置に転送する転送手段（１４、１５、または１６）とを備える。【選択図】  図１
2004208159.tif 000002
【特許請求の範囲】
【請求項１】
情報処理部を有するテレビジョン装置を制御するリモートコントローラであり、
画像撮影手段と、
前記画像撮影手段により撮影された画像を前記テレビジョン装置に転送する転送手段とを備えるリモートコントローラ。
【請求項２】
前記画像撮影手段は、静止画像を撮影するデジタルカメラである請求項１に記載のリモートコントローラ。
【請求項３】
前記画像撮影手段は、動画を撮影するビデオカメラである請求項１に記載のリモートコントローラ。
【請求項４】
前記転送手段は、無線通信により前記画像を転送する請求項１から３のいずれかに記載のリモートコントローラ。
【請求項５】
前記転送手段は、有線通信により前記画像を転送する請求項１から４のいずれかに記載のリモートコントローラ。
【請求項６】
前記画像を記録媒体に格納する手段をさらに備える請求項１から５のいずれかに記載のリモートコントローラ。
【請求項７】
情報処理部を有するテレビジョン本体部と、
前記テレビジョン装置を制御するリモートコントローラとを備え、
前記リモートコントローラは、
画像撮影手段と、
前記画像撮影手段により撮影された画像を前記テレビジョン装置に転送する転送手段とを有するテレビジョン装置。
【請求項８】
前記テレビジョン本体部は、ネットワークを介して通信する通信手段をさらに有し、前記情報処理部は、前記通信手段を介して前記画像撮影手段により撮影された画像をネットワークを通じて送信する請求項７に記載のテレビジョン装置。
【請求項９】
画像入力手段とネットワークを通じて通信する通信手段とを有するテレビジョン装置にネットワークを介してサービスを提供する、そのようなサービス提供事業者を支援する運用システムであり、
前記テレビジョン装置から前記画像および前記画像に対するサービス要求を受信する手段と、
前記サービス提供事業者に前記画像および前記サービス要求を通知する手段とを有する運用システム。
【請求項１０】
前記サービス提供事業者から提供されるサービスに係る情報を前記テレビジョン装置に提供する手段をさらに備える請求項９に記載の運用システム。
【請求項１１】
前記運用システムは、ネットワーク上のゲートウェイを備える請求項９または１０に記載の運用システム。
【請求項１２】
前記運用システムは、ネットワーク上のウェブサイトを備える請求項９または１０に記載の運用システム。
【請求項１３】
前記画像に対するサービスは、前記画像の表示、編集、保存、印刷または所定の媒体への掲載である請求項９から１２のいずれかに記載の運用システム。
【請求項１４】
前記画像に対するサービスは、前記画像に含まれるコード情報に基づく情報提供である請求項９から１２のいずれかに記載の運用システム。
【請求項１５】
前記画像に対するサービスは、前記画像に含まれるコード情報に基づく電子商取引である請求項９から１２のいずれかに記載の運用システム。
【請求項１６】
画像入力手段とネットワークを通じて通信する通信手段とを有するテレビジョン装置にネットワークを介してサービス提供するサーバであり、
前記テレビジョン装置から前記画像および前記画像に対するサービス要求を受信する手段と、
前記画像に対するサービスを提供する手段とを備えるサーバ。
【請求項１７】
前記画像に対するサービスは、前記画像の表示、編集、保存、印刷または所定の媒体への掲載である請求項１６に記載のサーバ。
【請求項１８】
前記画像に対するサービスは、前記画像に含まれるコード情報に基づく情報提供である請求項１６に記載のサーバ。
【請求項１９】
前記画像に対するサービスは、前記画像に含まれるコード情報に基づく電子商取引である請求項１６に記載のサーバ。
【請求項２０】
画像入力手段とネットワークを通じて通信する通信手段とを有するテレビジョン装置にネットワークを介してサービス提供する、そのようなサービス提供事業者を支援する事業支援方法であり、前記テレビジョン装置および前記サービス提供事業者の運用するサーバと通信するコンピュータが、
前記テレビジョン装置から前記画像および前記画像に対するサービス要求を受信するステップと、
前記サービス提供事業者に前記画像および前記サービス要求を通知するステップとを実行する事業支援方法。
【請求項２１】
前記サービス提供事業者から提供されるサービスに係る情報を前記テレビジョン装置に転送するステップをさらに実行する請求項２０に記載の事業支援方法。
【請求項２２】
画像入力手段とネットワークを通じて通信する通信手段とを有するテレビジョン装置にネットワークを介してサービス提供するサーバが、
前記テレビジョン装置から前記画像および前記画像に対するサービス要求を受信するステップと、
前記画像に対するサービスを提供するステップとを実行するサービス提供方法。
【発明の詳細な説明】
【０００１】
【発明の属する技術分野】
本発明は、画像撮影装置付きのリモートコントローラおよびそのようなリモートコントローラにより操作されるテレビジョンに関するものである。
【０００２】
【従来の技術】
インターネットが発達し、企業のみでなく、一般家庭においてもインターネットが利用されるようになっている。これまで一般家庭のユーザは、パーソナルコンピュータを用いてインターネットにアクセスすることが多かった。
【０００３】
また、ケーブルテレビ網、ｘＤＳＬ、ＦＴＴＨ等の様々なブロードバンドネットワークが家庭に接続され、各種サービスが提供されている。
【０００４】
一方、一般家庭では、テレビジョンが広く普及している。そのため、パーソナルコンピュータにテレビジョン信号の受信機能を設け、テレビ番組をパーソナルコンピュータで視聴する機種も販売されている。
【０００５】
さらに、今後、テレビジョン装置そのものに情報処理機能と通信機能を設け、インターネットあるいはブロードバンドネットワークにアクセスすることも可能になると想定される。その場合、テレビジョン装置の操作は、従来同様リモートコントローラによると考えられる。
【０００６】
なお、関連する一般的な技術として、テレビ受像機をテレビ電話本体装置のディスプレイとして接続し、そのテレビ電話本体装置１０１の発着呼及び表示動作を電波の送受信でリモートコントロールするリモコン子機の操作によって、テレビ受像機に表示した通話相手を見ながら、子機１０２で通話するシステムが提案されている（例えば、特許文献１）。
【０００７】
【特許文献１】
特開２００１−０７８１６１（要約書）
【０００８】
【発明が解決しようとする課題】
インターネット等のネットワークにアクセスする場合に、単にウェブサイトを閲覧したり、情報をダウンロードすること以外に、家庭内の画像をネットワークを介して提供する場合も多いと想定される。しかし、従来、テレビジョン装置を用いて簡易に画像を提供するという配慮はなされていなかった。
【０００９】
本発明はこのような従来の技術の問題点に鑑みてなされたものである。すなわち、本発明の課題は、ネットワークに接続可能なテレビジョン装置において、簡易に画像を取得できる機能を提供することにある。さらに、本発明の課題は、ユーザがそのような画像取得機能により取得した画像をネットワーク上のサービス提供事業者に提供し、画像に係る様々なサービスを受けられるようにすることにある。また、本発明の課題は、そのようなサービスを支援する技術を提供することにある。
【００１０】
【課題を解決するための手段】
本発明は前記課題を解決するために、以下の手段を採用した。
【００１１】
すなわち、本発明は、情報処理部を有するテレビジョン装置を制御するリモートコントローラであり、
画像撮影手段と、
前記画像撮影手段により撮影された画像を前記テレビジョン装置に転送する転送手段とを備えるものである。
【００１２】
好ましくは、上記画像撮影手段は、静止画像を撮影するデジタルカメラが望ましい。
【００１３】
好ましくは、上記画像撮影手段は、動画を撮影するビデオカメラであってもよい。
【００１４】
好ましくは、上記転送手段は、無線通信により上記画像を転送してもよい。
【００１５】
好ましくは、上記転送手段は、有線通信により上記画像を転送してもよい。
【００１６】
好ましくは、上記リモートコントローラは、上記画像を記録媒体に格納する手段をさらに備えるものでもよい。
【００１７】
また、本発明は、情報処理部を有するテレビジョン本体部と、
上記テレビジョン装置を制御するリモートコントローラとを備え、
上記リモートコントローラは、
画像撮影手段と、
上記画像撮影手段により撮影された画像を上記テレビジョン装置に転送する転送手段とを有する、そのようなテレビジョン装置であってもよい。
【００１８】
好ましくは、上記テレビジョン本体部は、ネットワークを介して通信する通信手段をさらに有し、上記情報処理部は、上記通信手段を介して上記画像撮影手段により撮影された画像をネットワークを通じて送信するものでもよい。
【００１９】
このような構成により、ユーザは、リモートコントローラの画像撮影装置により、簡易に画像を撮影し、テレビジョン装置に格納することができる。テレビジョン装置がハードディスク等の記録装置を有するものであれば、その画像をテレビジョン装置で管理し、テレビジョン装置に表示できる。
【００２０】
また、そのテレビジョン装置がネットワークを通じて通信する機能を有するものであれば、ネットワーク上のサービス提供事業者に画像を提供することにより、様々なサービスを受けることができる。
【００２１】
また、本発明は、画像入力手段とネットワークを通じて通信する通信手段とを有するテレビジョン装置にネットワークを介してサービスを提供する、そのようなサービス提供事業者を支援する運用システムであり、
上記テレビジョン装置から上記画像および上記画像に対するサービス要求を受信する手段と、
上記サービス提供事業者に上記画像および上記サービス要求を通知する手段とを有するものでもよい。
【００２２】
好ましくは、上記運用システムは、上記サービス提供事業者から提供されるサービスに係る情報を上記テレビジョン装置に転送する手段をさらに備えるものでもよい。
【００２３】
好ましくは、上記運用システムは、ネットワーク上のゲートウェイを備えるものでもよい。
【００２４】
好ましくは、上記運用システムは、ネットワーク上のウェブサイトを備えるものでもよい。
【００２５】
このような運用システムにより、画像を提供する視聴者（ユーザ）と、その画像に関連するサービスまたは情報を提供する事業者とを結びつけ、そのような事業者のサービス提供を支援することができる。
【００２６】
好ましくは、上記画像に対するサービスは、上記画像の表示、編集、保存、印刷または所定の媒体への掲載が望ましい。
【００２７】
好ましくは、上記画像に対するサービスは、上記画像に含まれるコード情報に基づく情報提供であってもよい。
【００２８】
好ましくは、上記画像に対するサービスは、上記画像に含まれるコード情報に基づく電子商取引であってもよい。
【００２９】
また、本発明は、画像入力手段とネットワークを通じて通信する通信手段とを有するテレビジョン装置にネットワークを介してサービス提供するサーバであり、
上記テレビジョン装置から上記画像および上記画像に対するサービス要求を受信する手段と、
上記画像に対するサービスを提供する手段とを備えるものでもよい。
【００３０】
好ましくは、上記画像に対するサービスは、上記画像の表示、編集、保存、印刷または所定の媒体への掲載であってもよい。
【００３１】
好ましくは、上記画像に対するサービスは、上記画像に含まれるコード情報に基づく情報提供であってもよい。
【００３２】
好ましくは、上記画像に対するサービスは、上記画像に含まれるコード情報に基づく電子商取引であってもよい。
【００３３】
また、本発明は、画像入力手段とネットワークを通じて通信する通信手段とを有するテレビジョン装置にネットワークを介してサービス提供する、そのようなサービス提供事業者を支援する事業支援方法であり、上記テレビジョン装置および上記サービス提供事業者の運用するサーバと通信するコンピュータが、
上記テレビジョン装置から上記画像および上記画像に対するサービス要求を受信するステップと、
上記サービス提供事業者に上記画像および上記サービス要求を通知するステップとを実行するものでもよい。
【００３４】
好ましくは、上記事業支援方法において、上記サービス提供事業者から提供されるサービスに係る情報を上記テレビジョン装置に転送するステップをさらに実行してもよい。
【００３５】
また、本発明は、画像入力手段とネットワークを通じて通信する通信手段とを有するテレビジョン装置にネットワークを介してサービス提供するサーバが、
上記テレビジョン装置から上記画像および上記画像に対するサービス要求を受信するステップと、
上記画像に対するサービスを提供するステップとを実行するサービス提供方法であってもよい。
【００３６】
また、本発明は、上記サービスを提供するサーバ上のコンピュータプログラムであってもよい。また、本発明は、そのようなコンピュータプログラムが処理する情報であってもよい。ここで、情報は、例えば、ＨＴＭＬ（HyperText MarkupLanguage）、ＸＭＬ（eXtensible Markup Language）等の言語によって記述され、テレビジョン装置の視聴者に提供されるものでもよい。また、本発明は、上記テレビジョン装置を制御するコンピュータに、上記リモートコントローラと通信させ、上記リモートコントローラで撮影された画像を蓄積させ、管理させ、または、表示させるプログラムであってもよい。
【００３７】
また、本発明は、そのようなコンピュータプログラムまたは情報をコンピュータが読み取り可能な記録媒体に記録したものでもよい。
【００３８】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。
【００３９】
また、コンピュータに固定された記録媒体としてハードディスクやＲＯＭ（リードオンリーメモリ）等がある。
【００４０】
【発明の実施の形態】
以下、本発明の一実施の形態を図１から図７の図面に基づいて説明する。
【００４１】
図１は、本実施の形態に係るテレビジョン装置３の概要図であり、図２は、図１に示したデジタルカメラ付きリモートコンローラ１の外観図であり、図３は、デジタルカメラ付きリモートコンローラ１の構成図であり、図４は、テレビジョン装置３本体の構成図であり、図５は、ゲートウェイサーバ４により上記テレビジョン装置３にサービスを提供するための運用システムの構成例であり、図６は、ウェブサイト５を介してテレビジョン装置３に提供されるサービスの例であり、図７は、企業の顧客管理サーバ７によりテレビジョン装置３にサービスを提供する運用システムの構成例である。
【００４２】
＜テレジョン装置概要＞
図１は、本実施の形態に係るテレビジョン装置３の概要図である。このテレビジョン装置３は、装置本体に、映像表示部４０、音声音響出力部４１等を有する一般的なテレビジョン装置であり、テレビジョン放送を視聴者に視聴させる。
【００４３】
また、このテレビジョン装置３は、赤外線受光部３４を有しており、リモートコンローラ１（以下、リモコン１という）からの操作信号を受光する。これにより、視聴者は、リモコン１によりテレビジョン装置３を自在に操作することができる。例えば、視聴者は、リモコン１により放送チャンネルを切り替え、音声出力を調整することができる。
【００４４】
このテレビジョン装置３は、ＣＰＵ、メモリ、および、外部通信インターフェース３７を有しており、様々な情報処理機能を提供する。例えば、このテレビジョン装置３は、外部通信インターフェース３７および外部通信ケーブル２７を通じてブロードバンドネットワークに接続される。
【００４５】
ブロードバンドネットワークは、例えば、ｘＤＳＬ（Digital Subscriber Line）、ＦＴＴＨ（Fiber To The Home）、ケーブルテレビ網等である。これにより、テレビジョン装置３は、ケーブルテレビ事業者のサービス、ビデオオンデマンド事業者のサービス、あるいは、インターネット上のウェブサイトで提供されるサービス等にアクセスすることができる。
【００４６】
また、このテレビジョン装置３は、ブルートゥースユニット３５等の無線通信インターフェースおよびＩＥＥＥ１３９４用コネクタ接続部３６Ａに接続されテレビジョン本体に内蔵されるＩＥＥＥ１３９４インターフェース等の有線通信インターフェースを有している。そのため、このテレビジョン装置３は、これらの通信インターフェースを有する装置と通信することができる。
【００４７】
一方、リモコン１は、操作ボタンおよびカーソルボタンを有しており、赤外線発光部１４を通じて操作信号をテレビジョン装置３に送信し、テレビジョンを操作する。このリモコン１の特徴は、その上面に、カメラ部１１を有する点にある。リモコン１は、視聴者の撮影指示にしたがい、カメラ部１１により画像を撮影する。撮影された画像は、例えば、赤外線発光部１４を通じてテレビジョン装置３に転送される。
【００４８】
このリモコン１には、さらに、ユーザオプションにより、ブルートゥースユニット１５等の無線通信インターフェースまたはＩＥＥＥ１３９４インターフェース１６等の有線通信インターフェースを搭載してもよい。リモコン１は、これらの無線または有線の通信インターフェースにより、デジタルカメラ１１により撮影した画像をテレビジョン装置３に転送する。
【００４９】
図２は、リモコン１の外観図である。図２のように、リモコン１は、リモコン筐体１０の上面に、カメラ部１１、撮影ボタン１２、保存先切り替えボタン１３、表示部２９、カーソルボタン１７、操作ボタン群１８、チャンネル切り替えボタン（アップおよびダウン方向）、および、音声ボリュームを有している。
【００５０】
なお、リモコン１の形状は図１の形状に限定されるものではない。例えば、互いに開閉またはスライド可能な上部筐体および下部筐体とからなり、通常下部筐体上面の一部または全部が、上部筐体にカバーされるような構造としてもよい。そして、上部筐体に頻繁に使用するスイッチ等（チャンネル切替、音量ボリューム等）を設ければよい。また、上部筐体を開いた状態で下部筐体上のスイッチ等を使用できるようにすればよい。また、例えば、カバーを構成する上部筐体を開くと表示部２９が露出する構成としてもよい。
【００５１】
また、リモコン１は、筐体内部にブルートゥースユニット１５、ＩＥＥＥ１３９４インターフェース、メモリカードインターフェースを有している。ＩＥＥＥ１３９４インターフェースは、筐体側面のＩＥＥＥ１３９４用コネクタ受容部１６Ａからアクセスすることができる。また、メモリカードインターフェースは、筐体の下側面（図３を正面に見て下側面）からメモリカードを挿入することができる。また、リモコン１は、筐体上側面に、赤外線発光部１４を有している。
【００５２】
＜ハードウェア構成＞
図３に、リモコン１の主要なハードウェアの構成図を示す。図３のように、このリモコン１は、ＣＰＵ２１、メモリ２２、および、Ｉ／Ｏインターフェース２３を有している。さらに、Ｉ／Ｏインターフェース２３には、カメラ部１１、操作スイッチ部、赤外線発光部１４、ブルートゥースユニット１５、ＩＥＥＥ１３９４インターフェース１６、メモリカードインターフェース１９および表示部２９が接続されている。
【００５３】
ＣＰＵ２１は、メモリ２２に展開されたプログラムを実行し、リモコン１を制御する。すなわち、ＣＰＵ２１は、視聴者の操作スイッチ部（図２に示した撮影ボタン１２、保存先切り替えボタン１３、カーソルボタン１７、操作ボタン群１８、チャンネル切り替えボタン、および、音声ボリューム等）への操作を検出し、その操作に応じて制御信号を赤外線発光部１４を通じてテレビジョン装置３に送信する。
【００５４】
例えば、撮影ボタン１２が押下された場合には、保存先切り替えボタン１３の設定にしたがい、テレビジョン装置３またはメモリカードインターフェース１９に装着されたメモリカードに画像データを転送する。
【００５５】
メモリ２２は、例えば、ＤＲＡＭ（Dynamic Random Access Memory）、フラッシュメモリ等である。メモリ２２は、ＣＰＵ２１で実行されるプログラムを保持する。また、メモリ２２は、画像蓄積用のバッファとして一時的にカメラ部１１で撮影された画像を保持する。メモリ２２に蓄積された画像は、ＣＰＵ２１の制御によりテレビジョン装置３またはメモリカードインターフェース１９に装着されたメモリカードに転送される。
【００５６】
カメラ部１１は、ＣＣＤ（Charge-Coupled Devices、あるいはCharge CoupledDiode）カメラ、ＭＯＳ（Metal Oxide Semiconductor）カメラ等のデジタルカメラである。ただし、本実施形態においてカメラ部１１の撮影方式そのものには限定されない。カメラ部１１は、ＣＰＵ２１からの制御信号にしたがい、撮影した画像をメモリ２２に書き込む。
【００５７】
赤外線発光部１４は、ＣＰＵ２１からの制御信号にしたがい赤外線による操作信号またはカメラ部１１により撮影された画像データをテレビジョン装置３に送信する。ただし、本発明の実施は、赤外線発光部１４に限定されるわけではなく、他の通信インターフェースによりテレビジョン装置３と通信するようにしてもよい。
【００５８】
ブルートゥースユニット１５は、ＣＰＵ２１からの制御信号にしたがい、テレビジョン装置３に搭載されたブルートゥースユニット３５と、ブルートゥース規格にしたがって通信する。例えば、ブルートゥースユニット１５は、カメラ部１１により撮影された画像データをテレビジョン装置３に送信する。
【００５９】
ただし、本発明の実施は、ブルートゥース規格に限定されるわけではなく、他の通信インターフェースによりテレビジョン装置３と通信するようにしてもよい。例えば、無線ＬＡＮ等、他の無線通信規格を使用してもよい。
【００６０】
ＩＥＥＥ１３９４インターフェース１６は、ＣＰＵ２１からの制御信号にしたがい、テレビジョン装置３に搭載されたＩＥＥＥ１３９４インターフェース３６と、ＩＥＥＥ１３９４規格にしたがって通信する。例えば、ＩＥＥＥ１３９４インターフェース１６は、カメラ部１１により撮影された画像データをテレビジョン装置３に送信する。  ただし、本発明の実施は、ＩＥＥＥ１３９４規格に限定されるわけではなく、他の通信インターフェースによりテレビジョン装置３と通信するようにしてもよい。例えば、ＵＳＢ等、他の有線通信規格を使用してもよい。
【００６１】
メモリカードインターフェース１９には、メモリカードが装着され、ＣＰＵ２１の制御により、画像データが書き込まれる。本発明の実施は、メモリカードの種類によっては限定されない。したがって、本発明の実施において、メモリカードインターフェース１９として、コンパクトフラッシュ、スマートカード、マルチメディアカード、ＳＤカード等、様々な規格のものを使用できる。
【００６２】
表示部２９は、例えば、液晶ディスプレイ、エレクトロルミネッセンスパネル等である。カメラ部１１で撮影された画像は、直ちに、この表示部２９に表示に表示される。したがって、ユーザは、表示部２０により撮影した画像を確認した上で、その画像をテレビジョン装置に転送できる。
【００６３】
図４に、テレビジョン装置３本体の主要なハードウェアの構成図を示す。図４のように、このテレビジョン装置３は、ＣＰＵ３１、メモリ３２、および、Ｉ／Ｏインターフェース３３を有している。さらに、Ｉ／Ｏインターフェース３３には、通信基板３０、映像出力部、音声出力部、操作部、赤外線受光部３４、ブルートゥースユニット３５、ＩＥＥＥ１３９４インターフェース３６およびメモリカードインターフェース３９が接続されている。
【００６４】
ＣＰＵ３１およびおよびメモリ３２は、視聴者に情報処理機能を提供する。例えば、メモリ３２上にブラウザプログラムをロードすることにより、ＣＰＵ２１は、通信基板３０を制御し、外部ネットワーク、例えば、ｘＤＳＬ、ＦＴＴＨ、ケーブルテレビ網にアクセスする。
【００６５】
これにより、テレビジョン装置３は、例えば、インターネット上のウェブページを映像表示部４０に表示する。また、ＣＰＵ３１は、赤外線受光部３４または操作部を介して検出したユーザ操作にしたがい、ウェブページ上のリンクを辿る。
【００６６】
また、テレビジョン装置３は、赤外線受光部３４、ブルートゥースユニット３５、ＩＥＥＥ１３９４インターフェース３６およびメモリカードインターフェース３９等介してリモコン１から引き渡された画像データをメモリ３２に蓄積する。そして、テレビジョン装置３は、その画像を映像表示部４０に表示する。また、テレビジョン装置３は、その画像データをウェブページ上のサービス事業者に転送する。これにより、視聴者は、リモコン１のカメラ部１１で撮影した画像に対し、様々なサービスを受けることができる。
【００６７】
本発明の実施は、通信基板３０および通信基板３０に接続される外部ネットワークの規格に限定されるものではなく、ｘＤＳＬ（ＬＡＮ基板とｘＤＳＬモデム）、ＦＴＴＨ、ケーブルテレビ網等の通信基板を利用することができる。
【００６８】
また、本発明の実施は、赤外線受光部３４、ブルートゥースユニット３５、ＩＥＥＥ１３９４インターフェース３６およびメモリカードインターフェース３９等に限定されるものではない。すなわち、リモコン１と同一の規格のものを適宜備えるようにすればよい。
【００６９】
＜運用システムの構成例＞
図５に、ゲートウェイサーバ４により、上記のようなテレビジョン装置３にサービスを提供する運用システムの例を示す。このゲートウェイサーバ４は、インターネットの入り口に設置され、視聴者の各家庭に設置されたテレビジョン装置３Ａ〜３Ｅ等をインターネットに接続する。
【００７０】
各テレビジョン装置３Ａ等は、上述のリモコン１により操作され、各種外部ネットワークを介してゲートウェイサーバ４にアクセスする。
【００７１】
ゲートウェイサーバ４は、リモコン１により操作されるテレビジョン装置３Ａ等から送信された情報を管理するともに、その情報を様々な情報事業者に提供する。
【００７２】
例えば、ゲートウェイサーバ４は、テレビジョン装置３Ａ等から送信された情報を企業のウェブサイト、顧客サービス会社、商品販売会社、セールスプロモーション会社等のサーバ、または、メールサーバ等に送信する。
【００７３】
企業は、例えば、ゲートウェイサーバ４を情報収集目的で使用する。また、例えば、顧客サービス会社は、ゲートウェイサーバ４からの情報に基づき、様々なサービスを提供する。商品販売会社は、ゲートウェイサーバ４からの情報に基づき、視聴者と電子商取引を実行する。セールスプロモーション会社は、ゲートウェイサーバ４を介してセールスプロモーション等、各種情報を提供する。メールサーバは、ゲートウェイサーバ４からの情報を電子メールで送信する。
【００７４】
＜作用＞
以下、上記リモコン１、テレビジョン装置３、ゲートウェイサーバ４および各種事業者の連携による作用を説明する。
【００７５】
（１）テレビジョン装置３は、各家庭において、リモコン１のカメラ部１１で撮影した写真をテレビジョン装置３上のブラウザで直ちに表示することができる。
【００７６】
（２）視聴者は、写真を写真ライブラリーとしてテレビジョン装置３のハードディスクやメモリーカードに保存すればよい。
【００７７】
（３）視聴者は、リモコン１のカメラ部１１で撮影した写真をインターネットメール機能を使って交換することができる。この場合、図５に示したように、テレビジョン装置３Ａ〜３Ｅ等の間で、あるいは、パーソナルコンピュータ、携帯電話等との間で電子メール、ｆｔｐ（File Transfer Protocol）等により交換すればよい。
【００７８】
（４）視聴者は、撮影した画像データを現像サービス業者に送信できる。例えば、リモコン１のカメラ部１１で撮影した写真をラボサービス会社に送れば現像（印刷）サービス、加工、編集サービス、ウェブページ掲載サービス等を受けることができる。一方、ラボサービス会社は、リモコン１、テレビジョン装置３およびゲートウェイサーバ４を介して、サービス要求を収集できる。
【００７９】
（５）視聴者は、QRコード等の２次元バーコード、または通常のバーコード、広告管理コードなどが付いている商品やカタログ、広告等をリモコン１のカメラ部１１で撮影し、所定の受け付け先に伝送する。これにより、例えば、以下のようなサービスを受けることができる。
【００８０】
（通販会社）
通信販売会社は、ゲートウェイサーバ４を介して、画像データを含む視聴者からの購入申込みを受けるようにすればよい。視聴者は、通信販売会社が提供するカタログに付与されたＱＲコード等のコード情報をリモコン１のカメラ部１１撮影する。そして、視聴者は、撮影した画像データを添付して、テレビジョン装置３Ａ等を経由して通信販売会社に商品購入を申し込む。これにより、視聴者は、コード情報を撮影した画像を用いて簡易に商品を購入できる。また、視聴者は、地方自治体などのふるさと名産などの購入も同様に可能となる。
【００８１】
（企業ページ）
企業のウェブページは、ゲートウェイサーバ４を介して、画像データを含む視聴者からの要求を受けるようにすればよい。例えば、視聴者が、新聞，雑誌，カタログ等に付与された広告管理コード等をリモコン１のカメラ部１１で撮影する。そして、その企業のウェブページ等にアクセスする。このようなアクセスに対し、企業のウェブサーバが、その企業のより詳細な商品紹介，価格（自動車会社などは見積）等を提供するようにすればよい。また、動画による紹介情報を視聴者に提供すればよい。また更なる紹介のためのビデオテープ、ＤＶＤ等の動画メディアやカタログのダイレクトメール取り寄せも可能にすればよい。
【００８２】
（流通会社）
流通会社、例えば、スーパーマーケット等は、チラシなどに付与されたコードが画像データで送付されるとテレビジョン画面（ブラウザ上）にお店の売り場カメラからの映像を提供するようにしてもよい。また、特売情報等の更なる詳細情報を提供するようにすればよい。
【００８３】
（キャンペーン紹介，応募）
企業やプロモーション会社は、キャンペーン中の商品や広告に付与されたコード情報を含む画像データによる消費者からの応募を受け付けるようにすればよい。そのような応募に対して、消費者に特典を提供すればよい。また、キャンペーン商品の紹介やそのほかで応募方法の詳細を提供するようにすればよい。
【００８４】
（商品再購入）
商品販売会社は、商品に付与されたＱＲコード等の画像により、一度商品を購入した購入者からその商品の再購入申込みを受け付けるようにすればよい。また、商品販売会社は、流通店、企業，通販会社等と連動し、購入者に同一商品や周辺商品を提供するようにすればよい。
【００８５】
以上述べたように、本テレビジョン装置３の視聴者は、リモコン１のカメラ部１１で、各種の画像を撮影し、ゲートウェイサーバ４を介して様々な事業者のサービスを受けることができる。
【００８６】
＜ウェブサイトによる変形例＞
上記実施形態では、テレビジョン装置３の視聴者がリモコン１のカメラ部１１で、各種の画像を撮影し、ゲートウェイサーバ４を介して様々な事業者のサービスを受ける例を示した。このようなサービスの提供において、サービスをウェブサイトにおいて提供してもよい。
【００８７】
図６は、そのようなサービスを提供するウェブサイト５の例である。このウェブサイト５は、現像サービスへのリンク、写真表示機能、メール送信機能、企業ページへのリンク、各種キャンペーンページへのリンク、商品購入サイトへのリンク等から構成される。
【００８８】
視聴者は、リモコン１のカメラ部１１で撮影した画像を上記各種サービスの受付先へアップロードまたは電子メール送信することにより、各サービス（例えば、写真の印刷、編集、加工サービス、あるいは、所定の媒体への掲載サービス等）を受けることができる。また、視聴者は、撮影した画像を写真表示することができる。
【００８９】
また、視聴者は、商品コード、バーコード等を画像として送信することにより、商品購入を申し込むことができる。また、視聴者は、このウェブサイト５を介してメールサーバ６にアクセスし、電子メールに画像を添付して送信することができる。
【００９０】
＜企業の顧客管理サービスによる変形例＞
上記実施形態では、テレビジョン装置３の視聴者がリモコン１のカメラ部１１で、各種の画像を撮影し、ゲートウェイサーバ４を介して様々な事業者のサービスを受ける例を示した。このようなサービスを個々の企業ごとに受け付けるようにしてもよい。
【００９１】
図７は、個々の企業が運用する顧客管理サーバ７の例である。例えば、写真の印刷、編集、加工サービスを提供するラボサービス会社の顧客管理サーバ７が視聴者からのサービス要求を受け付けるようにしてもよい。また、通信販売会社が自身の運用するサーバで、商品コード、バーコード等の画像により申込みを受けるようにすればよい。
【００９２】
＜その他の変形例＞
上記リモコン１のカメラ部１１としてデジタルカメラを使用した。しかし、本発明の実施は、このような構成に限定されるものではない。例えば、カメラ部１１として動画を撮影するビデオカメラを使用し、無線通信インターフェースまたは有線通信インターフェースから所定の時間間隔で撮影した画像データ（動画を構成するフレーム）をテレビジョン装置３に送信するようにしてもよい。テレビジョン装置３は、そのような動画を映像表示部４０に表示すればよい。
【００９３】
また、ＣＰＵ３１の制御により、そのような動画を構成するフレームから特定のフレームを静止画として抽出するようにしてもよい。
【００９４】
＜テレビジョン装置の変形例＞
テレビジョン装置に、ハードディスク、フラッシュメモリ等を搭載し、リモコン１のカメラ部で撮影した画像を記録、管理、編集、あるいは、表示するようにしてもよい。そのため、テレビジョン装置３のＣＰＵ３１において、画像を記録、管理、または表示するプログラムを実行するようにすればよい。ユーザは、リモコン１により、画像を撮影し、テレビジョン装置３に転送する。テレビジョン装置３は、リモコン１から送信された画像をハードディスク、フラッシュメモリに格納するとともに、ユーザに画像の検索、表示等のメニューを提供するようにすればよい。このリモコン１とテレビジョン装置３の組み合わせにより、画像を管理するアルバム機能を実現することができる。
【００９５】
【発明の効果】
以上説明したように、本発明によれば、ネットワークに接続可能なテレビジョン装置において、簡易に画像を取得できる。また、ユーザがそのような画像取得機能により取得した画像をネットワーク上のサービス提供事業者に提供し、画像に係る様々なサービスを受けることができる。また、本発明によれば、そのようなサービスの提供を支援することができる。
【図面の簡単な説明】
【図１】本発明の一実施の形態に係るテレビジョン装置３の概要図
【図２】デジタルカメラ付きリモートコンローラ１の外観図
【図３】デジタルカメラ付きリモートコンローラ１の構成図
【図４】テレビジョン装置３本体の構成図
【図５】ゲートウェイサーバ４によりサービスを提供するための運用システムの構成例
【図６】ウェブサイト５を介してテレビジョン装置３に提供されるサービスの例
【図７】顧客管理サーバ７によりサービスを提供するための運用システムの構成例
【符号の説明】
１  リモコン
３、３Ａ−３Ｅ  テレビジョン装置
４  ゲートウェイサーバ
５  ウェブページ
６  メールサーバ
７  顧客管理サーバ
１０  リモコン筐体
１１  カメラ部
１２  撮影ボタン
１３  保存先切り替えボタン
１４  赤外線発光部
１５、３５  ブルートゥースユニット
１６、３６  ＩＥＥＥ１３９４インターフェース
１９  メモリカードインターフェース
２９  表示部
４０  映像表示部
４１  音声音響出力部
【図１】
2004208159.tif 000003
【図２】
2004208159.tif 000004
【図３】
2004208159.tif 000005
【図４】
2004208159.tif 000006
【図５】
2004208159.tif 000007
【図６】
2004208159.tif 000008
【図７】
2004208159.tif 000009